(57)【要約】【課題】カバー部材を容易に交換できるとともに、水没の履歴を正確に認識することができる携帯機器を提供する【解決手段】本発明の携帯電話１０では、第１の開口部１ｂはイヤホンカバー３の取付部３ｂを着脱可能なように取付部３ｂよりも大きな寸法を有し、取付部３ｂを第１の開口部１ｂから第２の開口部１ｃへスライド可能なように第１の開口部１ｂと第２の開口部１ｃとは連通しており、第２の開口部１ｃは第２の開口部１ｃから取付部３ｂが抜けないように取付部３ｂよりも小さな寸法を有しており、水没シール４は第１の開口部１ｂよりも筐体１の内側であって第１の開口部１ｂを介して観察可能な位置に取り付けられている。【選択図】　　　　図３
2004146907.tif 000002
【特許請求の範囲】
【請求項１】
筐体と、前記筐体内に配置された外部装置接続用の端子と、前記端子を開閉可能なカバー部材と、水没の履歴を認識するための水没認識部材とを備えた携帯機器であって、
前記筐体は前記カバー部材により閉じられる領域に第１の開口部と第２の開口部とを有しており、前記第１の開口部は前記カバー部材の取付部を着脱可能なように前記取付部よりも大きな寸法を有し、前記取付部を前記第１の開口部から前記第２の開口部へスライド可能なように前記第１の開口部と前記第２の開口部とは連通しており、前記第２の開口部は前記第２の開口部に嵌合した前記取付部が抜けないように前記取付部よりも小さな寸法を有しており、
前記水没認識部材は前記第１の開口部よりも前記筐体の内側であって前記第１の開口部を介して観察可能な位置に取付けられていることを特徴とする、携帯機器。
【請求項２】
前記筐体は、少なくとも前記第１の開口部の内側に配置されたリブを有し、前記水没認識部材は前記リブの表面に取付けられていることを特徴とする、請求項１に記載の携帯機器。
【発明の詳細な説明】
【０００１】
【発明の属する技術分野】
本発明は、携帯機器に関するものであり、特に外部接続用端子を開閉するカバー部材と水没の履歴を認識するための水没認識部材とを有する携帯機器に関するものである。
【０００２】
【従来の技術】
まず、従来の携帯機器について説明する。
【０００３】
図５、図６および図７は、従来の携帯機器として携帯電話の構成を示す側面図、断面図および斜視図である。図５（ａ）および図６（ａ）はイヤホンカバーを省略した状態を示し、図５（ｂ）および図６（ｂ）はイヤホンカバーを装着した状態を示している。また、図７はイヤホンカバーと筐体とを別々に示している。
【０００４】
図５、図６および図７を参照して、従来の携帯電話１１０は、筐体１０１と、イヤホン端子部１０２と、イヤホンカバー１０３と、水没シール１０４とを有している。
【０００５】
筐体１０１の内部にはイヤホン端子部１０２が配置されるとともに、その先端部が筐体１０１の開口部１０１ｄから露出しており、それにより外部のイヤホンをそのイヤホン端子部１０２に電気的に接続することが可能となっている。イヤホンカバー１０３は、カバー部１０３ａと固定部１０３ｂとを有しており、この固定部１０３ｂを筐体１０１の被係合部に嵌め合せることにより筐体１０１に固定されている。このように固定された状態で、イヤホンカバー１０３のカバー部１０３ａは筐体１０１のカバー領域１０１ａを開閉可能であり、それによりイヤホン端子部１０２を開閉可能である。また、このカバー領域１０１ａ内の筐体１０１表面には、水没の履歴を認識するための水没シール１０４が貼り付けられている。
【０００６】
また、イヤホンカバーにより閉じられる領域に水没シールを配置した携帯電話の構成は、たとえば以下の特許文献１に開示されている。
【０００７】
【特許文献１】
特開平１０−３２２４２７号公報
【０００８】
【発明が解決しようとする課題】
しかしながら、図５〜７に示す従来の携帯電話では、イヤホンカバー１０３が筐体１０１に固定されており筐体１０１から抜けない構成とされていた。このため、イヤホンカバー１０３を無理やり引っ張ると、イヤホンカバー１０３が切れてしまい、固定部１０３ｂが筐体１０１内に残ってしまう。よって、販売店などで修理する場合には、携帯電話を分解して、内部に残存した固定部１０３ｂを取り除くとともに、新たなイヤホンカバー１０３を取付ける必要があった。
【０００９】
また、図５〜７に示す従来の携帯電話では、イヤホンカバー１０３の開閉動作時などに、カバー領域１０１ａ内の水没シール１０４に操作者の指が触れ易い。このため、水没していないにも関わらず、指の皮脂などにより水没シール１０４が滲んでしまい、水没の履歴を正確に認識することが困難であった。
【００１０】
それゆえ本発明の目的は、カバー部材を容易に交換できるとともに、水没の履歴を正確に認識することができる携帯機器を提供することである。
【００１１】
【課題を解決するための手段】
本発明の携帯機器は、筐体と、筐体内に配置された外部装置接続用の端子と、端子を開閉可能なカバー部材と、水没の履歴を認識するための水没認識部材とを備えた携帯機器であって、筐体はカバー部材により閉じられる領域に第１の開口部と第２の開口部とを有しており、第１の開口部はカバー部材の取付部を着脱可能なように取付部よりも大きな寸法を有し、取付部を第１の開口部から第２の開口部へスライド可能なように第１の開口部と第２の開口部とは連通しており、第２の開口部は第２の開口部に嵌合した取付部が抜けないように取付部よりも小さな寸法を有しており、水没認識部材は第１の開口部よりも筐体の内側であって第１の開口部を介して観察可能な位置に取付けられていることを特徴とするものである。
【００１２】
本発明の携帯機器によれば、カバー部材の取付部を第１の開口部に着脱することによりカバー部材を筐体に取付け・取外すことが可能となる。このため、カバー部材を無理やり引っ張ることによりカバー部材が切れてしまっても、携帯機器を分解することなく、切れ残ったカバー部材を取外すとともに、新たなカバー部材を取付けることができ、カバー部材の交換を容易に行うことが可能となる。
【００１３】
また、水没認識部材は第１の開口部よりも筐体の内側に位置しているため、カバー部材の開閉動作時に水没認識部材に操作者の指が触れ難くなる。このため、指の皮脂により水没認識部材が滲むことが抑制されるため、水没の履歴を正確に認識することが可能となる。
【００１４】
これにより、カバー部材の交換を容易に行えるとともに水没の履歴を正確に認識することが可能な携帯機器を得ることができる。
【００１５】
上記の携帯機器において好ましくは、筐体は少なくとも第１の開口部の内側に配置されたリブを有し、水没認識部材はリブの表面に取付けられている。
【００１６】
このように筐体が第１の開口部の内側にリブを有することにより、第１の開口部から筐体内部を見たときに筐体内に配置されている基板などの部品が見えることを防止できるため見栄えを良くすることができるとともに、そのリブの表面に水没認識部材を取付けることもできる。
【００１７】
【発明の実施の形態】
以下、本発明の実施の形態について図に基づいて説明する。
【００１８】
図１および図２は、本発明の一実施の形態における携帯機器として携帯電話の構成を示す側面図および断面図である。図１（ａ）および図２（ａ）はイヤホンカバーを取外した状態を示し、図１（ｂ）および図２（ｂ）はイヤホンカバーを取付けた状態を示している。
【００１９】
図１および図２を参照して、本実施の形態の携帯電話１０は、筐体１と、イヤホン端子部２と、イヤホンカバー３と、水没シール４とを有している。
【００２０】
筐体１の内部にはイヤホン端子部２が配置されるとともに、その先端部が筐体１の開口部１ｄから露出しており、それにより外部のイヤホンをそのイヤホン端子部２に電気的に接続することが可能となっている。
【００２１】
イヤホンカバー３は、この開口部１ｄから露出したイヤホン端子部２を開閉するものである。このイヤホンカバー３を閉じた状態にてイヤホンカバー３により覆われる筐体１のカバー領域１ａには、上記の開口部１ｄ以外に、第１の開口部１ｂと第２の開口部１ｃと連通開口部１ｅとが形成されている。第１の開口部１ｂと第２の開口部１ｃとはともに略円形の形状を有しており、かつ双方の間に位置する連通開口部１ｅにより互いに連通している。
【００２２】
イヤホンカバー３は、カバー領域１ａをカバーするためのカバー部３ａと、筐体１に取付け・取外すための取付部３ｂと、カバー部３ａおよび取付部３ｂを連結するための連結部３ｃとを有している。この取付部３ｂを第２の開口部１ｃに係合させることによりイヤホンカバー３は筐体１に取付けられている。このように取付けられた状態で、イヤホンカバー３は筐体１のカバー領域１ａを開閉可能であり、それによりイヤホン端子部２を開閉可能である。
【００２３】
図３を参照して、第１の開口部１ｂは、イヤホンカバー３の取付部３ｂを着脱可能なように取付部３ｂの寸法（径）Ｄ３よりも大きな寸法（径）Ｄ１を有している。また、取付部３ｂを第１の開口部１ｂから第２の開口部１ｃへスライド可能なように第１の開口部１ｂと第２の開口部１ｃとは連通開口部１ｅにより連通している。また、第２の開口部１ｃは、第２の開口部１ｃに嵌合された取付部３ｂが第２の開口部１ｃから抜けないように取付部３の寸法（径）Ｄ３よりも小さな寸法（径）Ｄ２を有している。
【００２４】
なお、連結部３ｃは、連通開口部１ｅの寸法（幅）Ｄ５よりも小さな寸法（径）Ｄ４を有している。
【００２５】
水没シール４は、第１の開口部１ｂよりも筐体１の内側であって第１の開口部１ｂを介して観察可能な位置に貼り付けられている。筐体１は、少なくとも第１の開口部１ｂの内側に配置されたリブ１ｆを有しており、水没シール４はこのリブ１ｆの表面に貼り付けられている。これにより、イヤホンカバー３を開いた状態では、イヤホン端子部２にイヤホンを接続できるとともに、水没シール４を第１の開口部１ｂを介して観察することができる。
【００２６】
なお、リブ１ｆは、第１の開口部１ｂの内側だけでなく、第２の開口部１ｃの内側に位置していることが好ましい。また、リブ１ｆは、第１の開口部１ｂから筐体１内を見たときに筐体１内に配置された基板などの部品が見えないように、第１の開口部１ｂの内側全体に位置していることが好ましく、また第２の開口部１ｃの内側全体にも位置していることが好ましい。
【００２７】
次に、本実施の形態におけるイヤホンカバーの筐体への取付け・取外し動作について説明する。
【００２８】
図４は、本発明の一実施の形態における携帯機器である携帯電話のイヤホンカバーの筐体への取付け・取外し動作を説明するための斜視図である。図４を参照して、イヤホンカバー３の取付けにおいては、まず図中Ａに示すように図中右側に取付部３ｂが位置するような状態で、その取付部３ｂが第１の開口部１ｂに嵌められる。そして、イヤホンカバー３が図中Ｂに示す方向（図中左方向）に引っ張られる。これにより、取付部３ｂは第１の開口部１ｂから連通開口部１ｅを通って第２の開口部１ｃへスライドする。そして、取付部３ｂが第２の開口部１ｃに係合した状態のまま、イヤホンカバー３は取付部３ｂを中心として図中Ｃ方向に約１８０°回転させられる。この状態で、イヤホンカバー３は筐体１のカバー領域１ａを覆うことができ、それによりイヤホン端子部２を開閉することができる。
【００２９】
一方、イヤホンカバー３の取外しは、上記の取付動作と全く逆の動作を行なうことにより実現され得る。
【００３０】
本実施の形態においては、イヤホンカバー３の取付部３ｂを第１の開口部１ｂに着脱することによりイヤホンカバー３を筐体１に取付け・取外すことが可能となる。このため、イヤホンカバー３を無理やり引っ張ることによりイヤホンカバー３が切れてしまっても、携帯電話１０を分解することなく、切れ残ったイヤホンカバー３を取外せるとともに、新たなイヤホンカバー３を取付けることができ、イヤホンカバー３の交換を容易に行うことが可能となる。
【００３１】
また、水没シール４は第１の開口部１ｂよりも筐体１の内側に位置しているため、イヤホンカバー３の開閉動作時に水没シール４に操作者の指が触れ難くなる。このため、指の皮脂により水没シール４が滲むことが抑制されるため、水没の履歴を正確に認識することが可能となる。
【００３２】
このように第１の開口部１ｂをイヤホンカバー３の取付け・取外しに利用するとともに、水没シール４への指の接触防止に利用することにより、カバー部材の交換を容易に行えるとともに水没の履歴を正確に認識することが可能な携帯電話を１０を実現することができる。
【００３３】
また、筐体１が第１の開口部１ｂの内側にリブ１ｆを有することにより、第１の開口部１ｂから筐体１の内部を見たときに筐体１内に配置されている基板などの部品が見えることを防止できるため見栄えを良くすることができるとともに、そのリブ１ｆの表面に水没シール４を取付けることもできる。
【００３４】
また、デザイン性の問題から水没シール４はユーザからなるべく見えにくい場所に貼り付けることが望ましい。本実施の形態における水没シール４の貼りつけ位置は、イヤホンカバー３によって隠れる部位で、しかも第１の開口部１ｂを介した筐体１の内側であるため、ユーザが通常使用する場合には水没シール４はあまり目立たない一方、水没の履歴を意識して確認しようと思えば、携帯電話機１０を分解せずにイヤホンカバー３を開けるだけで容易に確認することができる。
【００３５】
なお、本実施の形態においては、携帯機器として携帯電話について説明したが、本発明はこれに限定されるものではなく、携帯用情報端末（ＰＤＡ：ｐｅｒｓｏｎａｌｄａｔａ　ａｓｓｉｓｔａｎｔ）、ノート型のパーソナルコンピュータなどの携帯機器に広く適用され得る。
【００３６】
また、本実施の形態においては、イヤホン端子部を開閉するイヤホンカバーについて説明したが、本発明はこれに限定されるものではなく、マイク用端子部、電源用端子部、メモリ（記録媒体）用端子部などの外部装置接続用の端子部を開閉するカバー部材に広く適用され得る。
【００３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３８】
【発明の効果】
以上説明したように本発明の携帯機器によれば、カバー部材の取付部を第１の開口部に着脱することによりカバー部材を筐体に取付け・取外すことが可能となる。このため、カバー部材を無理やり引っ張ることによりカバー部材が切れてしまっても、携帯機器を分解することなく、切れ残ったカバー部材を取外すとともに、新たなカバー部材を取付けることができ、カバー部材の交換を容易に行うことが可能となる。
【００３９】
また、水没認識部材は第１の開口部よりも筐体の内側に位置しているため、カバー部材の開閉動作時に水没認識部材に操作者の指が触れ難くなる。このため、指の皮脂により水没認識部材が滲むことが抑制されるため、水没の履歴を正確に認識することが可能となる。
【００４０】
これにより、カバー部材の交換を容易に行えるとともに水没の履歴を正確に認識することが可能な携帯機器を得ることができる。
【図面の簡単な説明】
【図１】本発明の一実施の形態における携帯機器として携帯電話の構成を示す側面図である。
【図２】本発明の一実施の形態における携帯機器として携帯電話の構成を示す断面図である。
【図３】図１の要部拡大図である。
【図４】本発明の一実施の形態における携帯機器である携帯電話のイヤホンカバーの筐体への取付け・取外し動作を説明するための斜視図である。
【図５】従来の携帯機器として携帯電話の構成を示す側面図である。
【図６】従来の携帯機器として携帯電話の構成を示す断面図である。
【図７】従来の携帯機器として携帯電話の構成を示す斜視図である。
【符号の説明】
１　筐体、１ａ　カバー領域、１ｂ　第１の開口部、１ｃ　第２の開口部、１ｄ　開口部、１ｅ　連通開口部、１ｆ　リブ、２　イヤホン端子部、３　イヤホンカバー、３ａ　カバー部、３ｂ　取付部、３ｃ　連結部、４　水没シール、１０　携帯電話。
【図１】
2004146907.tif 000003
【図２】
2004146907.tif 000004
【図３】
2004146907.tif 000005
【図４】
2004146907.tif 000006
【図５】
2004146907.tif 000007
【図６】
2004146907.tif 000008
【図７】
2004146907.tif 000009